(57)【要約】【課題】  従来の携帯電話機と変わらない外観を保持するものでありながら、折り畳み可能な回動板に光発電プレートを設けることにより光発電プレートの大きな設置スペースを確保して補助電源として充分な発電量を得ることができ、蓄電容量をカバーして長時間の使用にも耐えることのできる補助電源としての光発電プレートを備えた携帯無線端末を提供すること。【解決手段】  表面にディスプレイ２と操作ボタン３を備えた本体１の背面に回動板４がヒンジ部５を介して展開可能に折り込まれており、該回動板４の表面又は裏面若しくはその両面に光発電プレート６が設けられている構造。【選択図】図１
2005210259.tif 000002
【特許請求の範囲】
【請求項１】
表面にディスプレイ(2)と操作ボタン(3)を備えた本体(1)の背面に回動板(4)がヒンジ部(5)を介して展開可能に折り込まれており、該回動板(4)の表面又は裏面若しくはその両面に光発電プレート(6)が設けられている携帯無線端末。
【請求項２】
表面にディスプレイ(2)と操作ボタン(3)を備えた本体(1)の背面に回動板(4)がヒンジ部(5)を介して展開可能に折り込まれており、該回動板(4)の表面に光発電プレート(6)が設けられている携帯無線端末。
【請求項３】
表面にディスプレイ(2)と操作ボタン(3)を備えた本体(1)の背面に回動板(4)がヒンジ部(5)を介して展開可能に折り込まれており、該回動板(4)の裏面に光発電プレート(6)が設けられている携帯無線端末。
【請求項４】
表面にディスプレイ(2)と操作ボタン(3)を備えた本体(1)の背面に回動板(4)がヒンジ部(5)を介して展開可能に折り込まれており、該回動板(4)の表面並びに裏面の両方に光発電プレート(6)が設けられている携帯無線端末。
【請求項５】
前記本体(1)の背面で、回動板(4)が本体(1)に折り畳まれたときに回動板(4)によって隠される部分に光発電プレート(6')が設けられている請求項１〜請求項４に記載の携帯無線端末。
【発明の詳細な説明】
【技術分野】
【０００１】
本発明は、文字や画像を表示するディスプレイを備えた小型の携帯無線端末に関するもので、主として携帯電話機に関するものである。
【背景技術】
【０００２】
従来、携帯電話機は電話としての機能に加えてインターネットや各種情報の出力端末としての機能が追加されることによって大容量の情報や動画の表示が可能な大型のディスプレイが要求されるようになった。しかし大容量の情報表示、殊に動画の表示には消費電力が多くなり、使用時間に限界がある、といった問題点があった。そこで従来では特許文献１並びに２に示すように、携帯電話機の本体表面の空いたスペースに太陽電池パネルを設けて消費電力を補填するものが提案されている。
【特許文献１】特開２００１−２９２２１４号公報
【特許文献２】特開２００２−３５９６７６号公報
【発明の開示】
【発明が解決しようとする課題】
【０００３】
しかし特許文献１に示された携帯電話機では、ディスプレイの周縁部分を囲むように狭い範囲に太陽電池パネルを設けたものであるから、発電量が非常に小さくて実用的効果が期待できない。これに対し、特許文献２で示された携帯電話機では、ディスプレイを除く電話機本体の全ての表面に太陽電池パネルを取り付けられているから大きな発電量を期待することができるが、強度並びに製作の面で問題があり、殊に、ファッション性を重視する携帯電話機にとってその外観の見劣りに大きな欠点があった。
【０００４】
そこで本発明は、本体の背面に太陽電池、即ち光発電プレートを備えた回動板を展開可能に取り付けて必要なときに補助電源として有効に作動するようにし、もって従来の携帯電話機と変わらない外観を保持するものでありながら光発電プレートの大きな設置スペースを確保して補助電源として充分な発電量を得ることができ、これにより長時間の使用にも耐えることのできる携帯無線端末を提供することを主たる目的とするものである。
【課題を解決するための手段】
【０００５】
上記目的を達成する為に本発明では次のような技術的手段を講じた。即ち、本発明に係る携帯無線端末にあっては、表面にディスプレイ２と操作ボタン３を備えた本体１の背面に回動板４がヒンジ部５を介して展開可能に折り込まれており、該回動板４の表面又は裏面若しくはその両面に光発電プレート６が設けられている構造とした。ここにいう光発電とは、太陽電池のように光によって発電する電池全般を意味する。
【０００６】
前記光発電プレート６は回動板４の表面に設ける場合と、回動板４の裏面に設ける場合、並びに回動板４の表裏両面に設ける場合がある。光発電プレート６を回動板４の表面にのみ設けた場合は回動板４を回動することによって受光角度を調整することができて効率の良い発電効果を発揮することができ、回動板４の裏面に設けた場合は必要のない時に光発電プレート６を隠すことができて外観美観を保持することができると共に展開して使用するときに時に回動板の角度を変えることによって受光角度を調整することができ、回動板４の表裏両面に設けた場合は回動板を展開させることによって大きな発電量を期待することができる。
【０００７】
前記本体１は、図１に示すようにディスプレイ２を備えた表示部１ａと操作ボタン３を備えた操作部１ｂとに分割されて回動連結部１ｃにより表示部１ａと操作部１ｂとが向かい合う姿勢に折り畳み可能に連結されている構造のものか、あるいは図７に示すような表示部１ａと操作部１ｂとが一体的に形成されたものの何れであってもよい。
【０００８】
また、図５に示すように、前記本体１の背面で回動板４が本体１に折り畳まれたときに回動板４によって隠される部分に光発電プレート６’を設けることにより、より大きな発電量を得ることができる。
【発明の効果】
【０００９】
本発明では、折り畳み可能な回動板に光発電プレートを設けることにより、光発電プレートの大きな設置スペースを確保して補助電源として充分な発電量を得ることができて長時間の使用にも耐えることができるとともに、回動板を本体の背面にコンパクトに折り畳んだ姿勢では従来の携帯電話機と殆ど変わらない形態を保持することができ携帯電話機としての外的美観や意匠観を損なうことが無い。殊に、光発電プレートを回動板の表面に設けた場合は回動板を回動することによって受光角度を調整することができて効率の良い発電効果を発揮することができ、光発電プレートを回動板の裏面に設けた場合は不要時に回動板を折り畳むことによって光発電プレートを隠すことができてより高い外観美観を保持することができると共に展開して使用するときに時に回動板の角度を変えることによって受光角度を調整することができ、光発電プレートを回動板の表裏両面に設けた場合は回動板を展開させることによって大きな発電量を期待することができるといった効果がある。また、これに加えて、請求項５の構成とすることにより、更に大きな発電量を得ることができるといった効果がある。
【実施例】
【００１０】
以下、本発明を携帯電話機に実施した場合の例に基ずき説明する。図１〜図４は本発明の第１実施例を示すもので、符号１は携帯電話機の本体を示す。該本体１はディスプレイ２を備えた表示部１ａと操作ボタン３を備えた操作部１ｂとに分割されていて、回動連結部１ｃにより表示部１ａと操作部１ｂとが向かい合う姿勢に折り畳みできるように連結されている。この電話機本体１にはディスプレイ２や操作ボタン３の他に、マイク８、スピーカー９、アンテナ１０、サブディスプレイ１１等が設けられている。尚、図中１２は本体に取り付けられた主蓄電池を示す。
【００１１】
前記本体１の表示部１ａの背面、即ちディスプレイ２の背面側に、一縁部に設けられたヒンジ部５を介して回動板４が本体１の背面に重なるように折り込まれて展開可能に取り付けられている。この回動板４の表面並びに裏面の両方に光発電プレート６、６が設けられている。従って、この第１実施例では回動板４を図２の折り畳んだ姿勢でも、回動板４の表面に設けた光発電プレート６が作動して電力を補填できると共に、電話機の不使用時でも常時電話機本体に装着した主蓄電池１２に充電することができる。また回動板４を展開することにより表裏両面に設けた二つの光発電プレート６、６が作動して大きな電力補填が可能となる。また回動板４は本体１の表示部１ａの背面にコンパクトに折り畳むことができるので従来の携帯電話機と同じ形態を保持することができてる。
【００１２】
尚、本発明では、図５に示すように、前記本体１の背面で回動板４が本体１に折り畳まれたときに回動板４によって隠される部分に光発電プレート６’を設けるようにしてもよい。これにより更に大きな発電量を得ることができる。
【００１３】
また、本発明では、図６に示すように回動板４を横軸のヒンジ部５’を介して上下に回動して折り畳むことができるようにすることも可能である。
【００１４】
更に本発明では、図７に示すように、光を備えた２枚の回動板４を本体１の背面に折り畳んで左右に展開できるように形成することも可能である。これにより一層大きな発電量を得ることができる。
【００１５】
図８は本発明の更に別の実施例を示すものであって、この実施例では、回動板４の表面には光発電プレート６は設けられていない。従って回動板４を展開した状態の背面図は図３と同じ形態となる。この実施例では、必要のない時に回動板４を折り畳むことによって光発電プレート６を隠すことができ、これにより従来の携帯電話機と変わらない外観美観を保持することができる。
【００１６】
上記実施例では、本体１が表示部１ａと操作部１ｂとに分割されていて、折り畳みできるように連結されている構造としたが、図９に示すように表示部１ａと操作部１ｂとを一体的に形成しても良いことは勿論である。
【００１７】
以上本発明の代表的と思われる実施例について説明したが、本発明は必ずしもこれらの実施例構造のみに限定されるものではなく、その構成要件を備え、かつ本発明の目的を達成し、本発明の効果を奏する範囲内において適宜改変して実施できるものである。
【図面の簡単な説明】
【００１８】
【図１】本発明に係る携帯無線端末の第１実施例を示す斜視図であって回動板が展開された状態を示す。
【図２】上記携帯無線端末の回動板を折り畳んだ状態を示す斜視図。
【図３】上記携帯無線端末の回動板を展開させた状態を示す背面図。
【図４】上記携帯無線端末の回動板を展開させた状態を示す正面図。
【図５】本発明の別の実施例を示す図３同様の背面図。
【図６】本発明の他の実施例を示す図１同様の斜視図。
【図７】本発明の更に別の実施例を示す図１同様の斜視図。
【図８】本発明の更に異なる実施例を示す図１同様の斜視図。
【図９】本発明の更に別の実施例を示す図４同様の正面図。
【符号の説明】
【００１９】
１  本体
２  ディスプレイ
３  操作ボタン
４  回動板
５  ヒンジ部
６、６’  光発電プレート
【図１】
2005210259.tif 000003
【図２】
2005210259.tif 000004
【図３】
2005210259.tif 000005
【図４】
2005210259.tif 000006
【図５】
2005210259.tif 000007
【図６】
2005210259.tif 000008
【図７】
2005210259.tif 000009
【図８】
2005210259.tif 000010
【図９】
2005210259.tif 000011